(57)【要約】      （修正有）【課題】輸液装置を同時に複数使用し、輸液チューブが途中で絡み合う状態になった場合でも、輸液装置の表示部に輸液チューブと同色の表示を行うことで患者の正しい部位への輸液を確実に行えるきわめて安全性に優れた輸液装置の提供。【解決手段】薬液を収容した輸液バック（Ｂ１、Ｂ２、Ｂ３）または薬液を充填したシリンジ（Ｓ１、Ｓ２、Ｓ３）と、薬液の種類に対応付けされて色別に着色されるとともに輸液バックまたはシリンジに接続される輸液チューブ（Ｔ１〜Ｔ６）とから構成される薬液供給具を用いる輸液装置（１、１００）であって、薬液供給具は薬液に関する薬液情報を輸液装置に対して自動設定するための薬液情報伝達機能部を有し、薬液装置は自動設定された薬液情報に基づき輸液チューブと同色の色表示を行うカラー液晶表示装置を含むカラー表示部（１０、１１０）を備える。【選択図】図６
0003124022.tif 000002
【実用新案登録請求の範囲】
【請求項１】
薬液を収容した輸液バック、または薬液を充填したシリンジと、前記薬液の種類に対応付けされて色別に着色されるとともに前記輸液バック、または前記シリンジに接続される輸液チューブとから構成される薬液供給具を用いる輸液装置であって、
前記薬液供給具は、前記薬液に関する薬液情報を前記輸液装置に対して設定するための薬液情報伝達機能部を有し、
前記薬液装置は、前記設定された薬液情報に基づき前記輸液チューブと同色の色表示を行うカラー液晶表示装置を含むカラー表示部を備えることを特徴とする輸液装置。
【請求項２】
前記カラー表示部は、その背景画面上において前記色表示を行うとともに、文字・数値による薬液種類、輸液量、容量の表示と、アイコンによる運転状態の表示を行うことを特徴とする請求項１に記載の輸液装置。
【請求項３】
前記シリンジのシリンジ筒部を前記輸液装置であるシリンジポンプの置き台にセットし、スライダ手段にシリンジ押子をセットし、前記スライダ手段の駆動にともないシリンジの内容物を正確に送り出すために、前記スライダ手段を前記駆動するスライダ送り手段と、前記シリンジ筒部を、前記置き台に対して着脱自在かつ固定位置で不動状態に維持するクランプ手段と、前記スライダ手段に設けられ、前記シリンジ押子を不動状態で把持する把持位置と開放する開放位置との間で開閉されるフック部材と、前記スライダ手段に設けられ、前記フック部材の前記開閉を手動で行うクラッチレバーと、前記クラッチレバーの操作により、前記フック部材が前記開放位置になったときに、前記スライダ手段を前記スライダ送り手段に対する非係合状態にする一方で、前記クラッチレバーの操作により、前記フック部材が前記把持位置になったときに、前記スライダ手段を前記スライダ送り手段に対する係合状態にするスライダ機構部と、を備え、
前記シリンジ筒部が前記置き台上において３次元方向（Ｘ-Ｙ-Ｚ方向）に沿う正しい姿勢でセットされ、かつ前記シリンジ押子が前記スライダ手段において正しくセットされたときに、前記薬液情報伝達機能部であるＩＣタグ、バーコードの読み込みを行うための読取手段及びまたは薬液情報を手入力する手段を備えることを特徴とする請求項１または２に記載の輸液装置。
【請求項４】
前記輸液装置は、前記輸液チューブの外周面を長手方向に押圧して薬液の送液を行うために、前後方向または左右方向に開閉自在に設け、係止位置と開放位置との間で開閉自在に設けられるドア部材と、前記ドア部材に対向配置される輸液部とを備えた蠕動式輸液ポンプ、ローラ式輸液装置を含み、前記輸液チューブが前記ドア部材と前記輸液部との間で正しくセットされたときに、前記薬液情報伝達部の読み込みを行う読取手段を備えることを特徴とする請求項１乃至３のいずれか１項に記載の輸液装置。
【請求項５】
前記薬液情報伝達機能部であるＩＣタグ、バーコードの読み込みを行うための読取手段または薬液情報を手入力するための手段を備えることを特徴とする請求項４に記載の輸液装置。
【考案の詳細な説明】
【技術分野】
【０００１】
本考案は、輸液装置に係り、特に安全性に優れる輸液技術に関するものである。
【背景技術】
【０００２】
医療現場では、輸液チューブの外周面を長手方向に押圧して蠕動運動を与えることで輸液を行う蠕動式輸液ポンプやローラ式輸液ポンプの輸液装置が用いられている。
【０００３】
また、輸液装置に対して輸液チューブを装填後に輸液を開始するときに、薬液をフリーフロー状態とアンチフリーフロー状態とに確実に切り換えるための輸液ポンプ用カセットも提案されている。この提案によれば、輸液チューブをカセットの保持部で保持しておき、輸液チューブの途中部位を閉塞することでアンチフリーフロー状態にする状態と途中部位を開放することでフリーフロー状態にするための付勢部材と、この付勢部材に連動する閉塞部材が設けられている。このカセットを輸液ポンプの輸液駆動部に対して装填した後に、付勢部材を手前側に引き出すことで閉塞部材による閉塞が解除されてフリーフロー状態になるので輸液チューブの蠕動運動で薬液の送液が可能となる。また、付勢部材をカセット側に移動すると閉塞部材による閉塞動作によりアンチフリーフロー状態に維持できるように構成されている。（特許文献１）
一方、本願出願人は、輸液システムを提案している。この輸液システムによれば、複数の蠕動式輸液ポンプやシリンジ式輸液ポンプを用いて同一患者への複数の種類の薬液の輸液を可能にしている。この輸液システムによれば、輸液のための諸設定を行う輸液設定手段と、この輸液設定手段から設定される諸設定値を含む輸液に関する表示を行う表示手段と、患者の輸液データを入力する患者データ入力装置と、輸液設定手段と表示手段と患者データ入力装置とに接続され輸液装置の輸液駆動部の制御を行うための制御手段を備えている。また、充電式バッテリー、商用電源装置を含む電源手段と、最大８台の輸液装置を載置位置で固定するための置き台と、輸液チューブの上流に接続されるとともに薬液を溜めた輸液バッグを吊るすための輸液ポールを備えた筐体を備えており、さらにこの筐体を移動可能にするためのキャスタを設けて構成されている。
【０００４】
また、輸液装置であるシリンジポンプは、集中治療室（ＩＣＵ）などで患者への栄養補給や輸血、化学療法剤、麻酔剤などの薬液注入を高い精度で比較的長時間に渡り行うことを主目的としたものであり、その薬液流量制御等が他の形式のポンプに比較して優れていることから多用されている。その使用方法は、薬液を入れたシリンジを、シリンジポンプのクランプを用いて不動状態にセットし、スライダに対してシリンジ押子をセットし、スライダを初期位置となる輸液開始位置まで手動で駆動することで、シリンジ押子のピストン運動によりシリンジ中の内容物を正確に送り出すものであり、構造が単純の割には比較的輸液精度が良いことから多く実用化されている。
【０００５】
また、特表平９−５０６２８８号公報において、スライダに対してシリンジ押子をセットしたことを検出し、スライダを初期位置となる輸液開始位置まで手動で駆動するように構成されたシリンジポンプが提案されている。（特許文献２）
さらに、特開２００４−７３３７３号公報において、シリンジ筒部が置き台上に正しくセットされていることを検出するように構成されたシリンジポンプが提案されている。（特許文献３）
一方、薬液種別にシリンジまたは輸液チューブを着色したり、カラーテープを巻きつけることで色識別可能にすることで、誤って患者に対する輸液を行うなどの事故防止を図るための工夫をしている病院や医療機関も報告されている。
【特許文献１】特開２００４−１４１４１８号公報
【特許文献２】特表平９−５０６２８８号公報
【特許文献３】特開２００４−７３３７３号公報
【考案の開示】
【考案が解決しようとする課題】
【０００６】
しかしながら、上記のように薬液種別にシリンジまたは輸液チューブを着色したり、カラーテープを巻きつけることで色識別を可能に構成した場合であっても、上記の輸液装置を同時に複数使用すると輸液チューブが絡み合うなどして患者の誤った部位に対する輸液を行ってしまう所謂スパゲッティ・シンドロームを招くことも知られている。
【０００７】
したがって、本考案は上記の事情に鑑みてなされたものであり、輸液装置を同時に複数使用し、たとえ輸液チューブが途中で絡み合う状態になった場合であっても、患者の正しい部位への輸液を行うことのできるきわめて安全性に優れた輸液装置の提供を目的としている。
【課題を解決するための手段】
【０００８】
以上の課題を解決するために、本考案によれば、薬液を収容した輸液バック、または薬液を充填したシリンジと、前記薬液の種類に対応付けされて色別に着色されるとともに前記輸液バック、または前記シリンジに接続される輸液チューブとから構成される薬液供給具を用いる輸液装置であって、前記薬液供給具は、前記薬液に関する薬液情報を前記輸液装置に対して設定するための薬液情報伝達機能部を有し、前記薬液装置は、前記設定された薬液情報に基づき前記輸液チューブと同色の色表示を行うカラー液晶表示装置を含むカラー表示部を備えることを特徴としている。
【０００９】
また、前記カラー表示部は、その背景画面上において前記色表示を行うとともに、文字・数値による薬液種類、輸液量、容量の表示、アイコンによる運転状態を表示することを特徴としている。
【００１０】
また、前記シリンジのシリンジ筒部を前記輸液装置であるシリンジポンプの置き台にセットし、スライダ手段にシリンジ押子をセットし、前記スライダ手段の駆動にともないシリンジの内容物を正確に送り出すために、前記スライダ手段を前記駆動するスライダ送り手段と、前記シリンジ筒部を、前記置き台に対して着脱自在かつ固定位置で不動状態に維持するクランプ手段と、前記スライダ手段に設けられ、前記シリンジ押子を不動状態で把持する把持位置と開放する開放位置との間で開閉されるフック部材と、前記スライダ手段に設けられ、前記フック部材の前記開閉を手動で行うクラッチレバーと、前記クラッチレバーの操作により、前記フック部材が前記開放位置になったときに、前記スライダ手段を前記スライダ送り手段に対する非係合状態にする一方で、前記クラッチレバーの操作により、前記フック部材が前記把持位置になったときに、前記スライダ手段を前記スライダ送り手段に対する係合状態にするスライダ機構部と、を備え、前記シリンジ筒部が前記置き台上において３次元方向（Ｘ-Ｙ-Ｚ方向）に沿う正しい姿勢でセットされ、かつ前記シリンジ押子が前記スライダ手段において正しくセットされたときに、前記薬液情報伝達機能部であるＩＣタグ、バーコードの読み込みを行うための読取手段及びまたは薬液情報を手入力する手段を備えることを特徴としている。
【００１１】
また、前記輸液装置は、前記輸液チューブの外周面を長手方向に押圧して薬液の送液を行うために、前後方向または左右方向に開閉自在に設け、係止位置と開放位置との間で開閉自在に設けられるドア部材と、前記ドア部材に対向配置される輸液部とを備えた蠕動式輸液ポンプ、ローラ式輸液装置を含み、前記輸液チューブが前記ドア部材と前記輸液部との間で正しくセットされたときに、前記薬液情報伝達部の読み込みを行う読取手段を備えることを特徴としている。
【００１２】
そして、前記薬液情報伝達機能部であるＩＣタグ、バーコードの読み込みを行うための読取手段または薬液情報を手入力するための手段を備えることを特徴としている。
【考案の効果】
【００１３】
本考案によれば、輸液装置を同時に複数使用し、たとえ輸液チューブが途中で絡み合う状態になった場合であっても、輸液装置の表示部に輸液チューブと同色の表示を行うようにできるので患者の正しい部位への輸液を確実に行えるきわめて安全性に優れた輸液装置を提供することができる。
【考案を実施するための最良の形態】
【００１４】
以下に、本考案の好適な実施形態について、添付の図面を参照して説明する。
【００１５】
図１は、輸液システム２００の外観斜視図である。本図において、輸液システム２００は蠕動式輸液装置１００（以下、輸液装置１００と呼ぶ）を最大で８台搭載する置き台を上部に設けた筐体２２０を備えている。この筐体２２０の下方には４隅に自在キャスタ２２１が固定されている。また、置き台にはハンドル２２２が図示のように固定されており、このハンドル２２２を把持して輸液システム２００の全体を、例えば集中治療室内の床面上で自在に移動できるように構成されている。
【００１６】
この筐体２２０からは薬液を溜めた薬液供給具としての輸液バッグＢを吊るしておくための輸液ポール２１７指示用の支持ポール２１５が、図示のように左右２箇所から上方に延びるように設けられている。各支持ポール２１５は中空筒状の鉄パイプなどから作られており、その内部に輸液ポール２１７を挿通して固定具２１６で所望の高さ位置に固定できるようにしている。
【００１７】
また、輸液ポール２１７の上端からは図示のように輸液バッグＢを吊すための４箇所のフック部２１７ａが図示のように形成されており、かつ各輸液ポール２１７、２１７は支持ポール２１５、２１５に対して個別に任意の高さに調整後に固定できるように構成されている。また、薬液バッグＢには点滴筒を介して接続チューブＴが接続されており、この接続チューブＴを輸液装置１００にセットすることで蠕動運動による輸液を可能にしている。
【００１８】
各輸液装置１００は、本願出願人が特開平０９−１５１８５６号公報で提案したペリスタリックフィンガー方式の蠕動式輸液装置が使用できる。すなわち、輸液装置１００の各フィンガーで輸液チューブＴを上流側と下流側のみ完全に潰し、途中部位を完全に潰さないことで輸液チューブＴの肉厚の影響をなくして高精度で送液することができる。しかしながら、これに限定されず完全に潰すことで輸液チューブの蠕動運動を行うように構成された輸液装置また他の方式の輸液装置である例えば回転ローラを備えたローラ式輸液装置等にも適宜適用できることは言うまでもない。
【００１９】
個別の輸液装置１００は、輸液速度、流量予定量、積算量などの設定が行われるとともに、輸液異常を知らせるアラーム表示、点滴筒の接続時において設定される滴数、点滴プローブを使用したときの流量異常発生を知らせる流量異常、輸液チューブの閉塞異常が検出されて正常な輸液ができないことを知らせる閉塞異常、輸液装置１００のドア部材が本体に対して完全に閉じていないときにその状態をドアスイッチで検出して知らせるドア開き表示、輸液チューブＴ中に所定長（５ｍｍ）以上の長さの気泡が混入したときに知らせる気泡異常、内蔵バッテリーの電圧が低下したときに知らせるバッテリ異常表示などを表示部で行うようにしている。
【００２０】
筐体２２０の前面には別の種類の輸液装置であるシリンジポンプ１が、図示のように上下方向に、不図示の固定装置を用いて着脱自在に筐体前の棚部上に固定されている。これらのシリンジポンプ１は、ＩＣＵ、ＣＣＵ、ＮＩＣＵでの、栄養補給や輸血、化学療法剤、麻酔剤などの薬液注入を目的とした微量持続注入ポンプとも呼ばれる装置であり、流量表示等を行うための操作パネル部を上面において略集中配置することで操作性を良くしている。各シリンジポンプ１には、薬液を充填したシリンジＳと、薬液の種類に対応付けされて色別に着色された接続チューブＴを接続した薬液供給具が個別にセットされる。
【００２１】
次に、図２はシリンジポンプ１の外観斜視図である。本図において、操作パネル２ｆは基本的にエンボスシートカバーで覆われており、ＪＩＳＣ０９２０の防まつ試験を満足する防滴設計が施されており、例えば不注意でこぼれた薬液等を簡単に拭きとることができるようにするとともに、薬液等が内部に侵入するのを防ぐ高い防滴性を備えている。
【００２２】
また、シリンジポンプ１の本体をなす上カバー２と下カバー３は耐薬品性を備える成形樹脂材料から一体成形されるとともに、各カバー２、３の互いの接続面において例えばシリコーンエラストマー製のラバーシール４を介在させてからネジ止めする構成にすることで、内部に液体等の異物が入り込むことを防止するように構成されている。また、注入の高精度と操作性の向上を重視するためにマイクロコンピュータ制御による精密な注入動作制御を実現可能にするとともに、外部から見易い位置において上方に突出して設けられた動作インジケータ７を図示のように設け、この動作インジケータ７内部の発光ダイオードが赤色または緑色に多色に点灯、点滅したり、回転点灯表示するようにして、輸液動作状態や警告状態が遠方からでもモニターできるようにすることで、その安全性を万全にしている。さらにまた、ブザーも内蔵されており、安全性を考えた、各種警報機能が備わっている。
【００２３】
また、小型・軽量であるので、持ち運びも簡単であり、上記のように複数台数を同時使用する場合に便利となるように設計されている。さらに不図示の設定ダイヤルを回すことで回転速度と回転方向に応じた数値設定が短時間でできるようにする一方で、表示パネルの表示部１１に設定値を表示できるようにして、流量などの数値の設定変更時は、設定ダイヤルの操作でワンアクションで簡単に行えるようにしている。
【００２４】
さらに、形状寸法は、例えば高さＨ：７０ｍｍ×幅Ｗ：３００ｍｍ×奥行きＤ：１１０ｍｍと小型であり、また重量は１．２Ｋｇ程度とするとともに、電源はＡＣ商用電源と、内蔵バッテリ、ＤＣ１２ＶＡの３系統としている。また内蔵バッテリは充電時間は６Ｈ（時間）であり、外部から簡単に交換可能にするために下カバー３の底部において蓋で被われて、コネクタ接続されて着脱可能に設けられている。また、交換寿命は２年以上とする一方で、定電流一定電圧充電コントロールで、過充電とならないようにしている。さらに、内蔵バッテリーの容量、充電時の電圧／電流、放電時の電圧／電流などを監視、制御することにより過放・充電防止を実現している。そして、リチウムイオンバッテリーを使用し、新品バッテリーで警報発生まで１２Ｈ（時間）以上，シャットダウンまで少なくとも約１２．５Ｈ（時間）以上動作できるようにしている。
【００２５】
また、積算量、ガンマ注入等のための表示部１０と、流量の表示部１１他が操作パネル２ｆ上に設けられる一方で、設定ダイヤルは洗浄のために簡単に取り外すことができるように形成されており、この爪先を入れて回動しつつ外側に移動して外すことができるように構成されている。
【００２６】
また、操作パネル部２ｆには、電源スイッチと、ＡＣ／ＤＣランプとバッテリーランプが左端部において集中配設されている。これらランプの隣りには表示部１０が配設されている。また、クランプ５を使用してシリンジをセットしたときに、クランプ５の上下方向の移動量を電気信号に変換してからシリンジ直径を自動計測してセットされたシリンジの容積５ｃｃ（ｍｌ）、１０ｃｃ（ｍｌ），２０ｃｃ（ｍｌ），３０ｃｃ（ｍｌ）、５０ｃｃ（ｍｌ）、１００ｃｃ（ｍｌ）を表示するようにしたシリンジ表示ランプが設けられている。
【００２７】
また、シリンジポンプに設けられている閉塞検出機構による設定検出圧力を３段切り換え表示する表示ランプ、残量アラームランプ、バッテリーアラームランプ他が集中的に配設されている。
【００２８】
表示部１１は流量・予定量・積算量を表示する７セグメントのＬＥＤを内蔵しており、機能スイッチと積算クリアスイッチと早送りスイッチと、開始スイッチと停止／消音スイッチをさらに設けている。
【００２９】
図２のシリンジＳ１をセットするために、上カバー２には置き台置き台２ａとシリンジ筒部ＳＴと一体的に形成されたシリンジフランジ部ＳＦがセットされるべき凹部８、９が一体射出成形される。また、クランプ５を回動自在に支持するクランプ支柱も同様に一体形成されている。
【００３０】
一方、矢印Ｄ方向に駆動されるスライダ組立体５０は、下ケースの段差部２ｄ上を往復移動する一方で、スライダー送り機構に対して後述するパイプシャフト、インナークラッチシャフトの端部に連結固定されており、スライダ組立体５０のクラッチレバー５２を手動で操作することでシリンジ押子ＳＰを簡単に装着および取り外すことができるように構成されている。
【００３１】
凹部８の近くにはシリンジ筒部（外筒）ＳＴが置き台２ａに対する前後方向（Ｘ方向）に正しく不動状態にセットされたことを検出するために、置き台２ａの谷底面に設けられたゴムカバーで覆われた第２検出部となるセンサが設けられている。
【００３２】
また、シリンジ押子ＳＰは、シリンジの押子ＳＰをスライダー組立体５０に当接させ形状部上に置いてから、クラッチレバー５２を離すと、左右フック５３、５４がシリンジＳの押子ＳＰを自動的に保持するようになる。即ち、クラッチレバー５２を離すと、スライダーのフックがシリンジの押子を挟み込む状態になる。以上が基本のセット動作である。  このスライダ組立体５０はスライダ送り機構のインナークラッチシャフト４３とパイプシャフト４０の端部において固定されて種々の異なるシリンジを不動状態に着脱自在に保持し、かつこれをＤ矢印方向に駆動することでシリンジ内容物を正確に送り出すための重要な機能を有する。また、防水のためのブーツ５１がパイプシャフト４０に被せられている。
【００３３】
そして、シリンジ押子ＳＰを把持するために、クラッチレバー５２を押圧すると、左右フック部材５３、５４が開き、クラッチレバー５２を離すと左右フック部材が把持位置になり、このことをスライダ機構部と連動して検出することで、シリンジ押子ＳＰがスライダ組立体５０に正しくセットされたことを検出するように構成されている。このため一端がトーションバネの作用により常時突出するように付勢されたストッパー部品がスライダ組立体５０に設けられており、シリンジ押子ＳＰを把持したときにこのストッパー部品が引っ込むように構成された特許第３５８１６９５号に記載のクラッチ機構（詳細は省略する）を備えている。
【００３４】
以上でシリンジフランジＳＦが凹部８、９にセットされ、シリンジ筒部ＳＴが置き台２ａ上にセットされ、クランプ５を破線図示の位置から矢印Ｊ２方向に約９０度回転すると、ロック状態が解除されて図中の矢印Ｊ１とは反対方向に引っ張られてシリンジのクランプが行われる。以上で置き台の近傍の凹部８、９内にセットされるべきシリンジフランジ部ＳＦが置き台に対する左右方向（Ｙ方向）に正しく不動状態にセットされ、またシリンジ筒部ＳＴが前後方向（Ｘ方向）に正しくセットされる。
【００３５】
ここで、以上の凹部８、９と置き台２ａには小径の円弧溝部がさらに一体形成されており、小容量小径のシリンジを不動状態で保持することができる。続いてクラッチレバー５２を解除してスライダーを移動させ、シリンジ押子ＳＰをスライダ組立体５０に正しく把持する状態にする。このように正しくセットされるとシリンジＳ１の筒部ＳＴの外周面に貼設された薬液情報伝達機能部の一つであるＩＣタグＳＫが読み取り部１９に対向する状態となる。この状態から、電磁気的な結合でＩＣタグＳＫに記憶された薬液に関する薬液情報が輸液装置１に自動設定される。
【００３６】
次に、図３（ａ）は蠕動式の輸液装置１の模式図、（ｂ）は上記のシリンジポンプ１の模式図である。本図において、既に説明済みの構成または部品については同様の符号を附して説明を割愛すると、先ず図３（ａ）において、輸液装置１００には開閉自在のドア部材１３０が設けられており、この輸液装置１００のドア部材１３０を開いて輸液チューブ装填補助具２０５をセットすると、このフリーフロー状態となる。この補助具２０５には薬液情報伝達機能部の一つであるＩＣタグＢＫが貼設されており、輸液バッグＢ２の薬液に関する情報を装置１に内蔵された読取部１１９で読み取る。具体的には電磁気的な結合でＩＣタグＳＫに記憶された薬液に関する薬液情報が輸液装置１に自動設定されるとともに、ＩＣタグの内容も自動更新される。この後にレバーロック１３１を用いてドア部材を係止状態にすることで輸液の準備が終了する。また、ドア部材１３０にはカラー表示可能な表示部１１０が設けられており後述の背景色表示を行う。
【００３７】
一方、図３（ｂ）において、シリンジＳ１には接続チューブＴ１が接続されており、図２に基づき記載したようにセットされることで、ＩＣタグＳＫのシリンジポンプ１の読取部１９による自動読取が行われることで、表示部１０に輸液量１４、体重１６、薬液種類１７の自動表示が行われる。この時、表示部１０のバックグラウンド１２が接続チューブＴ１と同じ色になる。このため表示部１０として例えばカラー小型液晶装置、有機ＥＬ装置などが用いられる。
【００３８】
同様に、蠕動式の輸液装置１００の表示部１１０のバックグラウンドも接続チューブＴ２と同色表示される。
【００３９】
以上のように輸液システム２００を使用することで、合計で最大８台の輸液装置１、１００を同時に複数使用することが可能になる。したがって、例えば集中治療患者に対して異なる薬液を同時投与できることになる。また輸液チューブＴが途中で絡み合う状態になっても、患者の正しい部位への輸液を確実に行うことが可能になる。以下により詳細に述べる。
【００４０】
図４は、シリンジポンプ１のブロック図である。本図において、既に説明済みの構成または部品については同様の符号を附して説明を割愛すると、制御手段であるＣＰＵ４００には、上記のようにＸ−Ｙ−Ｚ方向に正しくシリンジＳ１がセットされたことを検出する各センサを接続したシリンジ装着検出手段１２０が接続されており、これら全てのセンサにより検出が行われたことを確認後に輸液を許可するように構成されている。
【００４１】
また、ＣＰＵ４００には、クランプ５で検出されるシリンジ直径を判断するシリンジ径検出手段１０１と、シリンジに貼設されたＩＣタグＳＫを検出する読取部１９に接続されることで自動的に設定を行うシリンジ設定手段１０２と、輸液に関する種々の設定を行う設定入力手段１０３と、シリンジ押子ＳＰの駆動位置を検出する押子位置検出手段１０４と、閉塞圧センサに接続される閉塞圧検出手段１０５と、比較手段１０６と、フィードバック制御を含む所定プログラムを書き換え可能に記憶した記憶手段１０７と、スライド組立体５０を駆動する駆動モータに接続されるスライダ駆動手段１０８と、動作インジケータ７とブザーに接続される警告手段１０９と、表示部１０に接続されることで所定メッセージの表示制御およびバックグラウンドの色の設定および表示を行う表示手段１２０と、予告位置演算手段１２１とが接続されている。また、不図示の電源装置に接続されることで電力供給を受けるようにしている。
【００４２】
次に、図５は接続チューブと同色のカラー表示を行う一例についてシリンジポンプ１について図示した動作説明フローチャートである。上記の輸液ポンプ１００における制御例についても略同様に行われるのでここでは省略する。
【００４３】
図５において、この処理が開始されるとステップＳ１でシリンジＳがシリンジポンプ１に正しくセットされたことをセンサで検出する。次に、ステップＳ２においてシリンジＳがＸＹＺ方向に正しくセットされ、押子ＳＰがスライダ組立体５０に把持されたか否かを判断する。このステップＳ２で正しくセットされていないと判断されるとステップＳ３に進み、表示部１０においてセット不良のメッセージを表示し正しいセットを促し、ステップＳ１に戻る。
【００４４】
ステップＳ２で正しくセットされたと判定されるとステップＳ４に進み、ＩＣタグＳＫの読み込みを読取部１９で行い、ＩＣタグＳＫに記憶されている接続チューブ色を制御部４００に設定してステップＳ５に進み、背景色Ａを表示する。ステップＳ９において次に薬液種類、投薬レートなどを入力してステップＳ７に進み、開始ボタンの押圧を待って終了する。  以上のＩＣタグの他にバーコード入力または手動入力しても良い。
【００４５】
図６は、患者の輸液部位にセットされる穿刺針９に接続される輸液装置１００、シリンジポンプ１の実体配管図である。本図において、既に説明済みの構成または部品については同様の符号を附して説明を割愛すると、輸液装置１００には輸液バッグＢ１（青色）、Ｂ２（茶色）、Ｂ３（黄色）に青色の接続チューブＴ４と、茶色の接続チューブＴ５と、黄色の接続チューブＴ６を個別に接続した輸液供給具が夫々セットされる。
【００４６】
これに続き、上記のようにＩＣタグを自動検出してＴ４（青）と同色のバッググラウンドの青表示が表示部１１０に、Ｔ５（茶）と同色の茶色のバッググラウンドの色表示が表示部１１０に、Ｔ６（黄）と同色のバッググラウンドの色表示が表示部１１０に夫々行われる。これに続き各接続チューブを穿刺針９で集合接続する。
【００４７】
また、シリンジポンプ１にはシリンジＳ１、Ｓ２、Ｓ３が正しくセットされており、白色の接続チューブＴ１と、赤色の接続チューブＴ２と、青色の接続チューブＴ３を個別に接続した輸液供給具が図示のように個別にセットされる。
【００４８】
これに続き、上記のようにＩＣタグＳＫを自動検出してＴ１（白）と同色のバッググラウンドの白表示が表示部１０に、Ｔ２（赤）と同色の赤色のバッググラウンドの色表示が表示部１０に、Ｔ３（青）と同色のバッググラウンドの色表示が表示部１０に夫々行われる。これに続き各接続チューブを穿刺針９で集合接続する。
【００４９】
以上で接続が終了し、輸液が開始される。このとき、例えば患者の腋下部位に穿刺された穿刺針９に各薬液供給具が正しく接続されているかは、同時に複数の輸液装置、シリンジポンプを使用すると輸液チューブが絡み合うなどして判別不能となるが、色別表示されるので確実に確認できることとなる。
【００５０】
尚、本考案の要旨を逸脱しない範囲の設計変更等があっても本考案に含まれることは言うまでもない。
【図面の簡単な説明】
【００５１】
【図１】輸液システム２００の外観斜視図である。
【図２】シリンジポンプ１にシリンジＳがセットされた様子を図示した外観斜視図である。
【図３】（ａ）は蠕動式輸液装置１の模式図、（ｂ）はシリンジポンプ１の模式図である。
【図４】シリンジポンプのブロック図である。
【図５】接続チューブと同色のカラー表示を行う一例についてシリンジポンプ１について図示した動作説明フローチャートである。
【図６】患者の輸液部位にセットされる穿刺針９に接続される輸液装置１００、シリンジポンプ１の実体配管図である。
【符号の説明】
【００５２】
１  シリンジポンプ
１０  表示部
１００  輸液装置
１１０  表示部
Ｔｎ  接続チューブ
Ｓｎ  シリンジ
Ｂｎ  輸液バッグ
ＳＫ、ＢＫ  ＩＣタグ（薬液情報伝達機能部）
【図１】
0003124022.tif 000003
【図２】
0003124022.tif 000004
【図３】
0003124022.tif 000005
【図４】
0003124022.tif 000006
【図５】
0003124022.tif 000007
【図６】
0003124022.tif 000008